(57)【要約】【課題】ラップフィルムの切断後の端部がまくり返ることなく、ラップフィルム端部分を収納容器のラップフィルムの切断部位に設けた再剥離粘着部に定着させて、ラップフィルム端を固定して、再使用時に容易にラップフィルム端を引き出すこと。【解決手段】直方体状の収納容器上部の蓋と一体で収納容器の側面に接面してラップフィルムを固定すると共にラップフィルムを切断する刃を端辺に有する側面切断蓋とからなる食品の保存・包装用ラップフィルム収納容器であって、ラップフィルム収納容器側面と側面切断蓋とでラップフィルム挟んで押圧保持する部位の収納容器側の外側面に、少なくとも一箇所の再剥離性粘着剤面を設けたことを特徴とするラップフィルム収納容器。【選択図】図３
2008127101.tif 000002
【特許請求の範囲】
【請求項１】
直方体状の収納容器上部の蓋と一体で収納容器の側面に接面してラップフィルムを固定すると共にラップフィルムを切断する刃を端辺に有する側面切断蓋とからなる食品の保存・包装用ラップフィルム収納容器であって、
ラップフィルム収納容器側面と側面切断蓋とでラップフィルム挟んで押圧保持する部位の収納容器側の外側面に、少なくとも一箇所の再剥離性粘着剤面を設けたことを特徴とするラップフィルム収納容器。
【発明の詳細な説明】
【技術分野】
【０００１】この発明は、従来使用されている食品の保存・包装用ラップフィルム収納容器がラップフィルムの切断使用に際し、ラップフィルム切断後のラップフィルム切断端部の巻き戻りやロールに巻きつくトラブルが発生を抑制して、常時トラブル無く容易にラップフィルムフィルムを切断出来る様に工夫したラップフィルム容器に関するものである。
【背景技術】
【０００２】従来より使用されている食品の保存、包装用ラップフィルムの容器は、パッケージ箱をそのまま容器として使用している場合が多く、容器とラップフィルム切断刃を有する蓋との隙間ある程度設けてあるためラップフィルム切断時に切断刃を有する蓋を親指で押圧してラップフィルムをカットする。蓋と容器の間に残存するラップフィルムは、次にラップフィルムを引き出す時に容器との摩擦でラップフィルム端がそのままの状態で保持できず蓋と一緒に移動して巻き戻り切断端面が不明となるなどの不具合が発生して、使用に手間取ることが多く発生している。
【背景技術】
【０００３】特開平１１−０２０８３４号公報にはラップフィルムロールの収容上部にロール固定板を設けてフィルムロールを押さえラップフィルム切断端部を取り出す指差し穴を設けた容器の開示があるがまだ充分ではない。
【発明の開示】
【発明が解決しようとする課題】
【０００４】従来のものには次のような欠点があつた。
ラップフィルムを引出し所定の大きさにラップフィルムを切断した後に、再度所定の大きさのラップフィルムを引き出す際に容器の蓋に容器の側面に設けた切断刃を有する側面蓋を上部に上げてラップフィルムを引き出す際にラップフィルムの巻き戻りや皺になったり、ラップフィルムの残量が少なくなると巻き込み等のトラブルが頻繁に発生し易かった。
【問題を解決するための手段】
【０００５】直方体状の収納容器上部の蓋と一体で収納容器の側面に接面してラップフィルムを固定すると共にラップフィルムを切断する刃を端辺に有する側面切断蓋とからなる食品の保存・包装用ラップフィルム収納容器であって、
ラップフィルム収納容器側面と側面切断蓋とでラップフィルム挟んで押圧保持する部位の収納容器側の外側面に、少なくとも一箇所の再剥離性粘着剤面を設けたことを特徴とするラップフィルム収納容器。
再剥離粘着剤面は収納容器側面でラップフィルムが固定保持できる程度の面積で形状は四辺形、円形、楕円でも良くラップフィルムとの粘着効果を高めるためカット時に指で押さえる部位に少なくとも１個所形成するのが好ましい。
また、再剥離粘着剤面は予めシール紙またはフィルムで保護しておき使用時に剥離するようにすることもできる。
本発明は、以上のような構成よりなる食料品等の保存、包装用ラップフィルムの収納容器である。
【発明の効果】
【０００６】本発明には次のような効果がある。
収納容器側面に再剥離性粘着面を設けているので、ラップフィルムが切断時に側面切断蓋が指で押圧されて再剥離性粘着面にラップフィルムが粘着固定され、切断後も側面切断蓋を上げてラップフィルムを新たに引き出す際に、ラップフィルムが側面切断蓋と共に収納容器に巻き込まれるのを防ぐことができる。
また、再使用時には固定されたラップフィルムの端面からのラップフィルムが再剥離粘着面であるので容易に剥離でき、収納容器の蓋を開いて再度切断を行う場合においても、ラップフィルムのトラブルの発生がない。特に切断残のラップフィルムが少量となって起きる巻き戻りなどのトラブルを解消して快適に使用することができる。
【実施するための最良の形態】
【０００７】以下、本発明の実施例を図面について説明する。
図１に本発明のラップフィルム収納容器の斜視図を、図２のその正面図を、図３に再剥離粘着面付近の断面を示す。
直方体状のラップフィルム収納容器（１）と、容器の上部の蓋と一体でラップフィルム収納容器（１）の側面に接合して切断ラップフィルムを固定する側面切断蓋（２）とからなり、切断時に収納容器の外側面（３）と側面切断蓋（２）とでラップフィルムを挟んで押圧保持する収納容器の外側面（３）上に、再剥離性粘着剤面（４）とを形成している。
ラップフィルム使用時に容器内（１）より必要な面積分の長さのラップフィルムを引出し、側面切断蓋（２）を収容容器（１）に接合して閉じ、引き出されたラップフィルムを側面切断蓋（２）を押圧してラップフィルム固定して、側面切断蓋の切断刃（５）でラップフィルムを切断する。
収納容器（１）に残る切断残りラップフィルムは、図３の断面図に示すように切断の際に保持する指特に親指による押圧で収納容器の側面に形成されている再剥離粘着剤面（４）にラップフィルム（６）は粘着固定保持される。このため再度ラップフィルムを切断使用する際に、側面切断蓋（２）を上部に上げて開放してもラップフィルム（６）は、収納容器（１）の側面に再剥離性粘着剤面（４）に固定され巻き戻りなどの移動を阻止している。ラップフィルムは再剥離性粘着剤面（４）に粘着して固定されているだけなのでラップフィルム（６）容易に再剥離性粘着剤面（４）から剥離でき所望の面積のラップフィルム（６）を容易に引き出してトラブルを起こすことなくラップフィルムを切断使用することができる。
【０００８】再剥離粘着剤面は、たとえば、本のページを示すタグについている程度の粘着性を有する再剥離性粘着剤、または、フィルム封筒などのシールに使用されている再剥離性粘着剤などが使用でき、大きさはフィルムが保持できれば特に限定されない。
場合によっては複数設けても良い。容器の側面でラップフィルムが固定保持できる程度の面積で少なくとも１個所形成すればよい。再剥離性粘着面の位置はラップフィルム切断時に指により側面切断蓋に押圧が加えられ部位が望ましいがラップフィルムが固定保持できる位置であれば良い。また、再剥離性粘着面を保護するために使用前に表面を紙ないしはフィルムで保護しておき使用時剥がすような構成としても良い。
【図面の簡単な説明】
【０００９】
【図１】本発明の全体斜視図である。
【図２】本発明の正面図である。
【図３】本発明の（図１）のＡ−Ａの断面図である。
【符号の説明】
１．ラップフィルム収納容器
２．側面切断蓋
３．収納容器の外側面
４．再剥離性粘着剤面
５．切断刃
６．ラップフィルムフィルム
【図１】
2008127101.tif 000003
【図２】
2008127101.tif 000004
【図３】
2008127101.tif 000005